(57)【要約】【課題】土壌汚染調査等の環境調査を行う時に、調査する地盤のコアを打ち込みによって採取するコア採取装置に関して、コアチューブの打撃時や引き抜き時に外管の回転及びコアの回転を抑制することである。【解決手段】コアチューブ４が外管７の中に抜き差し可能な内管８を備える二重管で、その外管の先端部にシュー５を連結し、コアチューブの後方のエアハンマー２からの打撃力によってコアチューブ及びシューを地盤に挿入する打ち込み式コア採取装置において、外管、内管及びシューをそれぞれ角筒形状にすると共に、外管とシューの角張った外面同士、及び内管とシューの角張った内面同士をそれぞれ一致させるために、シューと外管との連結には抜き差し可能な嵌め込みを用いることを特徴とする。【選択図】　　　図１
2004068513.tif 000002
【特許請求の範囲】
【請求項１】
コアチューブ（４）が外管（７）の中に抜き差し可能な内管（８）を備える二重管で、その外管（７）の先端部にシュー（５）を連結し、コアチューブ（４）の後方のエアハンマー（２）からの打撃力によってコアチューブ（４）及びシュー（５）を地盤に挿入する打ち込み式コア採取装置において、外管（７）、内管（８）及びシュー（５）をそれぞれ角筒形状にすると共に、外管（７）とシュー（５）の角張った外面同士、及び内管（８）とシュー（５）の角張った内面同士をそれぞれ一致させるために、シュー（５）と外管（７）との連結には抜き差し可能な嵌め込みを用いることを特徴とする打ち込み式コア採取装置。
【発明の詳細な説明】
【０００１】
【発明の属する技術分野】
本発明は、土壌汚染調査等の環境調査を行う時に、調査する地盤のコア（試料）を対象深度まで採取するが、その際に打ち込みによってコアを採取するコア採取装置に関するもので、さらに詳しく言えば、圧縮空気の圧力をエアハンマーにて打撃力に変換し、中空のコアチューブを地盤に貫入させ、コアを採取する打ち込み式のコア採取装置に関する。
【０００２】
【従来の技術】
従来の打ち込み式コア採取装置は、二重管からなるコアチューブが外管、内管の何れも円筒形状であった。そして、打ち込み式コア採取装置にコアを取り込む場合は、後方からコアチューブを打撃して、コアチューブ先のシューから地盤内に挿入していく。
【０００３】
ところが、外管及び内管が何れも円筒形状であるため、コアチューブの打撃時や引き抜き時に地盤内で外管が回転したり、内管に取り込んだコアが回転することになり、採取したコアの方向を特定することが困難となり、正確な地盤調査ができなかった。ここでいうコアの方向とは、掘進方向に対して垂直な面上での向き、即ち、コア短軸方向の向きを意味し、掘進方向が鉛直下向きであれば、コア短軸方向は方位となる。
【０００４】
【発明が解決しようとする課題】
本発明は上記実情を考慮して開発されたもので、その目的は、コアチューブの打撃時や引き抜き時に外管の回転及びコアの回転を抑制することである。
【０００５】
【課題を解決するための手段】
本発明は、コアチューブが外管の中に抜き差し可能な内管を備える二重管で、その外管の先端部にシューを連結し、コアチューブの後方のエアハンマーからの打撃力によってコアチューブ及びシューを地盤に挿入する打ち込み式コア採取装置において、外管、内管及びシューをそれぞれ角筒形状にすると共に、外管とシューの角張った外面同士、及び内管とシューの角張った内面同士をそれぞれ一致させるために、シューと外管との連結には抜き差し可能な嵌め込みを用いることを特徴とする。
【０００６】
角筒形状は、断面が四角形以上の正多角形であることが強度的に望ましい。
【０００７】
シューと外管との連結に抜き差し可能な嵌め込みを用いたので、外管とシューの角張った外面同士、及び内管とシューの角張った内面同士をそれぞれ一致させることができる。なお、シューと外管との連結に雄ネジと雌ネジによるネジ接合を用いた場合は、角張った面同士を一致させることが困難である。
【０００８】
【発明の実施の形態】
本発明の打ち込み式コア採取装置は図５に示すように、ロッド１、エアハンマー２、ヘッド３、コアチューブ４、シュー５を順次連結し、コンプレッサ６からの圧縮空気をロッド１内を通してエアハンマー２に供給し、エアハンマー２でヘッド３を打撃することによってその打撃力をシュー５に伝え、シュー５及びコアチューブ４を地盤に挿入するものである。なお、ロッド１、エアハンマー２、ヘッド３の各連結には雄ネジと雌ネジによるネジ接合を用いる。
【０００９】
コアチューブ４は図１から図４に示すように、外管７の中に内管８を抜き差し可能に嵌め込んだ二重管である。外管７及び内管８は何れも角筒であり、従って内周形状及び外周形状が何れも角形（図面では正方形）である。掘削抵抗を小さくするために外管７は隅角をテーパー状に面取りしてある。また、外管７は、上端部をヘッド３にネジ接合し、下端部にシュー５を抜き差し可能に嵌め込み且つボルト等の止め具をねじ込んで連結してある。なお、外管７とシュー５の連結部９，１０は、何れも角筒形状にしてあるので（図２参照）、相互に嵌め込むと、外管７に対してシュー５が回転不能となり、角張った外管７の外面とシュー５の外面が一致連続して、掘削抵抗が小さくなると共に、ボルト穴が位置決めされる。
【００１０】
内管８は、樋状（図面では断面コ字状）をなす一対の半割体１１，１２を突き合わせて角筒としたもので、外管７よりも一回り小さいため、外管７の中に抜き差し可能に嵌め込まれ、外管７の中で回転不能となる（図３参照）。また、内管８からコアを取り出す際に一方の半割体１１を取り外せば、コアを崩すことなく調査できる。なお、内管８は、その下端をシュー５に内蔵する部品の上に載せ、その上端をヘッド３に突き当てる。
【００１１】
シュー５は外周が先端に向かって細くなる角筒形状で、先部によって地盤に打ち込みやすくし、上部の外周形状を外管７の外周形状に合わせてある。また、シュー５は、内側には径を広げる段部１３を設け、段部１３の上に角筒状のコアキャッチャー１４と袋収容チューブ１５を積み重ねて支持し、袋収容チューブ１５の上に内管８が配置されるものとする。そして、シュー５、コアキャッチャー１４及び袋収容チューブ１５の各内周形状を、内管８の内周形状に合わせて、角張った内面同士を一致させ、シュー５から侵入した角柱状のコアを崩すことなく内管８に送り込む。
【００１２】
コアキャッチャー１４は、取り込んだコアの落下を阻止するもので、図４に示すように内径が円弧状に狭くなる薄肉のヒレ１６を本管１７の上端内周に沿って連続してある。
【００１３】
袋収容チューブ１５は、袋１９を収容する角筒状の空洞部１８をその内周側に設けると共に、空洞部１８の上部を内面側に開放してあり、コアの侵入に伴って袋１９が引き出されて、内管８に取り込まれるコアは袋１９に詰まった状態となる。
【００１４】
なお、シュー５の内面には凸部２０を設けてあるので、掘削する際の凸部２０の方向を記憶しておけば、取り出されたコアには凸部２０の痕跡が溝状に付いていることから、コアの向きを特定する際の目印になる。
【００１５】
本発明は上記実施形態に限定されない。例えば、シュー５には袋収容チューブ１５がない状態、即ちコアキャッチャー１４のみを内蔵する構造であっても良く、この場合は、コアキャッチャー１４の上に内管８が配置され、内管８にコアが直接取り込まれる。
【００１６】
【発明の効果】
本発明の打ち込み式コア採取装置は、外管が角筒形状であるので、掘削時や引き抜き時に地盤内で外管が回転不能となる。また、外管、内管が何れも角筒形状であるので、外管の中に内管を嵌め込めば、外管の中で内管が回転不能になると共に、内管に取り込まれたコアが回転不能となる。従って、コアの向きが特定し、正確な地盤調査ができる。さらに、シューを角筒形状にし、シューと外管との連結に抜き差し可能な嵌め込みを用いてあるので、外管とシューの角張った外面同士、及び内管とシューの角張った内面同士がそれぞれ一致し、不一致な場合に比べて掘削抵抗が小さくなって掘削スピードが向上し、その上、内管に侵入するコアが崩れずにすみ、正確な地盤調査ができる。
【図面の簡単な説明】
【図１】（イ）（ロ）
本発明の打ち込み式コア採取装置の断面図、Ａ方向から視た下面図である。
【図２】図１のＢ−Ｂ線断面図である。
【図３】図１のＣ−Ｃ線断面図である。
【図４】打ち込み式コア採取装置の分解図で、左側を断面にした片側断面図である。
【図５】打ち込み式コア採取装置の全体を示す概略図である。
【符号の説明】
２　エアハンマー
４　コアチューブ
５　シュー
７　外管
８　内管
【図１】
2004068513.tif 000003
【図２】
2004068513.tif 000004
【図３】
2004068513.tif 000005
【図４】
2004068513.tif 000006
【図５】
2004068513.tif 000007